(57)【特許請求の範囲】
【請求項１】
目地を介して隣接する左右の建造物の側壁面に夫々固定されて、上下方向に延在する左右の固定枠と、
左右方向の摺動路が上下に対設された複数の摺動基体と、
各摺動基体の両摺動路に一端が夫々摺動可能に嵌挿され、他端が夫々前記左右の固定枠に枢結された複数対の支持杆と、
目地の略中央で上下方向に延在し、前記各摺動基体に前後方向に挿通された支持軸の前端に支持されて、支持軸に装着された圧縮ばねによって後方向に付勢され、両外側縁に中央寄り斜め後方に向けて傾斜する傾斜受面が形成された中央カバー板と、
目地の側部で上下方向に延在し、外側縁が前記左右の固定枠に夫々枢結され、その前面が前記中央カバー板の前面と略面一となる状態で配設されて、内側縁に前記中央カバー板の傾斜受面と同方向に傾斜する押圧傾斜面が形成された左右一対の端部カバー板と、
該端部カバー板の背面に外側縁がスライド機構を介して左右方向に摺動可能に連結され、内側縁が前記中央カバー板の背面側に位置して抜け出し不能に保持された左右一対の中間カバー板と、
各摺動基体に一端が夫々連結され、他端が左右の固定枠に夫々連結されて、中央カバー板を目地の略中央位置に保持する複数対の引張バネと
を備えてなることを特徴とする壁用目地カバー装置。
【発明の詳細な説明】
【技術分野】
【０００１】
本発明は、隣接する建造物の壁相互間の目地を覆う壁用目地カバー装置に関する。
【背景技術】
【０００２】
この種の目地カバー装置にあって、基部ホルダーによって目地の中央に支持された中央カバー板と、該中央カバー板の両外側縁に内側縁を夫々重ね合わせた状態で左右方向に摺動可能に配設された左右一対の中間カバー板と、該両中間カバー板の各外側縁に内側縁を夫々重ね合わせて配設された左右一対の端部カバー板とを備えたものが、本願出願人によって先に提案されている（特許文献１参照）。
【０００３】
また、目地を介して隣接する左右の建造物の側壁面に、両端部がヒンジ部材を介して枢支された複数のパンタグラフ状の伸縮リンクによって、中央カバー板と左右一対の中間カバー板及び左右一対の端部カバー板を支持するようにしたものも知られている（例えば、特許文献２参照）。
【先行技術文献】
【特許文献】
【０００４】
【特許文献１】特開平８−２１８４９９号公報
【特許文献２】特開２００６−３２２１３２号公報
【発明の概要】
【発明が解決しようとする課題】
【０００５】
特許文献１に開示された構成にあっては、目地の中央に支持された中央カバー板と、該中央カバー板の両外側縁に内側縁を夫々重ね合わせた左右一対の端部カバー板との三枚のカバー板によって目地を覆うものに比して、左右方向の移動許容量を大幅に拡大し得る利点がある反面、中央カバー板の両外側縁の前面に左右の中間カバー板の内側縁が重ね合わせられ、また、中間カバー板の外側縁の前面に左右の端部カバー板の内側縁が重ね合わせられているため、端部カバー板に対して中間カバー板が、また該中間カバー板に対して中央カバー板が順に奥方に窪む状態となっている。このため、各カバー板の前面が面一とならず、見た目が悪いという問題点があった。
【０００６】
また、特許文献２に開示された構成にあっては、背面側に配設された伸縮リンクによる前後方向の支持強度が比較的弱いため、中央カバー板を前方から押圧すると前後方向に揺動し易いものであった。
【０００７】
本発明は、かかる問題点を解消するためになされたものであり、目地を覆う中央カバー板と、その左右両側の端部カバー板とを、地震のない常態で前面が略面一となるように配設することにより、美観に優れたものとし得るとともに、前後方向の支持強度が比較的強く、中央カバー板の前後方向の揺動を抑制し得る壁用目地カバー装置を提供することを目的とするものである。
【課題を解決するための手段】
【０００８】
本発明は、目地を介して隣接する左右の建造物の側壁面に夫々固定されて、上下方向に延在する左右の固定枠と、左右方向の摺動路が上下に対設された複数の摺動基体と、各摺動基体の両摺動路に一端が夫々摺動可能に嵌挿され、他端が夫々前記左右の固定枠に枢結された複数対の支持杆と、目地の略中央で上下方向に延在し、前記各摺動基体に前後方向に挿通された支持軸の前端に支持されて、支持軸に装着された圧縮ばねによって後方向に付勢され、両外側縁に中央寄り斜め後方に向けて傾斜する傾斜受面が形成された中央カバー板と、目地の側部で上下方向に延在し、外側縁が前記左右の固定枠に夫々枢結され、その前面が前記中央カバー板の前面と略面一となる状態で配設されて、内側縁に前記中央カバー板の傾斜受面と同方向に傾斜する押圧傾斜面が形成された左右一対の端部カバー板と、該端部カバー板の背面に外側縁がスライド機構を介して左右方向に摺動可能に連結され、内側縁が前記中央カバー板の背面側に位置して抜け出し不能に保持された左右一対の中間カバー板と、各摺動基体に一端が夫々連結され、他端が左右の固定枠に夫々連結されて、中央カバー板を目地の略中央位置に保持する複数対の引張バネとを備えてなることを特徴とする壁用目地カバー装置である。
【発明の効果】
【０００９】
本発明は、上述したように、目地の略中央で上下方向に延在する中央カバー板と、該中央カバー板の左右両側で上下方向に延在する端部カバー板とを、その前面が略面一となる状態で配設することができるので、優れた美観を得ることができる。
【００１０】
また、中央カバー板を前端で支持する支持軸を備えた各摺動基体を、各摺動基体の上下の両摺動路に一端が夫々摺動可能に嵌挿されて、他端が夫々左右の固定枠に枢結された複数対の支持杆によって支持させるようにしたことにより、中央カバー板の前後方向の支持強度が従来構成の伸縮リンクに比して格段に向上し、該中央カバー板の前後方向の揺動を確実に抑制することができる。
【図面の簡単な説明】
【００１１】
【図１】本発明にかかる壁用目地カバー装置１の施工状態を示す横断面図である。
【図２】同上の壁用目地カバー装置１を構成する左右の固定枠２，２と複数の摺動基体５との組み付け状態を示す正面図である。
【図３】図２におけるＣ−Ｃ線拡大断面図である。
【図４】端部カバー板２９部分の拡大横断面図である。
【図５】中央カバー板２０部分の拡大横断面図である。
【図６】中央カバー板２０の一部切欠正面図である。
【図７】端部カバー板２９と中間カバー板３１の一部切欠正面図である。
【図８】図７におけるＤ−Ｄ線拡大断面図である。
【図９】（Ａ）は建造物Ａ，Ｂが近接方向に相対変位したときの壁用目地カバー装置１の作用説明図、（Ｂ）は建造物Ａ，Ｂが離隔方向に相対変位したときの壁用目地カバー装置１の作用説明図である。
【発明を実施するための形態】
【００１２】
以下に、本発明の一実施例を、図１〜図９に基づいて説明する。
本発明にかかる壁用目地カバー装置１は、図１に示すように、目地ｓを介して隣接する左右の建造物Ａ，Ｂ間に配設されて、両建造物Ａ，Ｂの側壁面ｘ，ｘ間の目地ｓを遮蔽するものである。
【００１３】
建造物Ａ，Ｂの対向する両側壁面ｘ，ｘには、壁用目地カバー装置１を構成する左右の固定枠２，２が上下方向に延在させて夫々配設されている。該固定枠２，２は、側壁面ｘ，ｘに当接される主片部２ａ（図４参照）と該主片部２ａの後端から内方に突出する係合片部２ｂとを備えた断面Ｌ形に形成されており、各主片部２ａが、側壁面ｘ，ｘから突出された複数のアンカーボルト３と各アンカーボルト３に螺合されたナット４とによって両側壁面ｘ，ｘに夫々固定されている。
【００１４】
目地ｓの略中央部には、図２に示すように、複数の摺動基体５が上下方向に所定間隔で配設されている。尚、図２には三個の摺動基体５が図示されているが、二個またはさらに多くの摺動基体５を配設することも可能である。各摺動基体５は、上下に対設された左右方向の摺動路６，６を備えている。ここで、各摺動基体５は、図３に示すように、背面及び上下両面を覆う支持基板７と、該支持基板７の前面に固定された上下一対の型材８，８とからなり、各型材８に形成された上下で対向する凹溝９，９によって摺動基体５の各摺動路６が構成されている。
【００１５】
各摺動基体５の摺動路６，６には、図２に示すように、左右一対をなす二本の支持杆１０，１０の一端が夫々摺動可能に嵌挿されており、各支持杆１０，１０の他端は、前記左右の固定枠２，２に配設されたヒンジ１１，１１に支持部材１２，１２を介して夫々前後方向に回動可能に枢結されている。ここで、各支持部材１２は、図４に示すように、断面略コ字形に曲成された上下方向に長い帯板材からなり、その中間部１２ａがヒンジ１１の回動片１１ａにボルト１３とナット１４によって固定されている。そして、該支持部材１２の後部側の突出端１２ｂに前記支持杆１０の端部が固定されており、前部側の突出端１２ｃは後述する端部カバー板２９に配設されるスライド機構３２の案内レール３３の外端に嵌挿されている。
【００１６】
また、各摺動基体５の背面側には上下方向に延在するバネ受け部材１５が配設されている。該バネ受け部材１５は、図５に示すように、各摺動基体５の背面に当接される主片部１５ａと、該主片部１５ａから斜め後方に拡開して突出する左右の係合片部１５ｂ，１５ｂを備えている。主片部１５ａには、各摺動基体５に夫々対応する高さ位置から複数のガイド筒１６が前方に突設されており、各ガイド筒１６は、各摺動基体５の中央部に形成された前後方向の挿通孔１７に後方から夫々嵌入されている。これによって、バネ受け部材１５が各摺動基体５に取り付けられており、該バネ受け部材１５によって各摺動基体５の相互間隔が保持されている。各ガイド筒１６には、夫々前端が後述する中央カバー板２０に固定される支持軸１８が前後方向に進退可能に挿通されている。また、各支持軸１８の後端は各摺動基体５の背面側に突出されており、その突出部に装着された圧縮ばね１９の弾発力によって、各支持軸１８が後方向に付勢されている。
【００１７】
目地ｓの略中央部には、図１，図５に示すように、前記各摺動基体５の前面側に位置させて上下方向に延在する中央カバー板２０が配設されている。該中央カバー板２０は、目地幅の略３分の１の横幅寸法で縦長矩形状に形成されており、その背面側に補強フレーム２１を備えている。該補強フレーム２１は、左右両側に配設された断面クランク形の縦枠２２，２２と、該縦枠２２，２２に左右両端部が固定された複数の横枠２３とにより、図６に示すように、正面視において略梯子状に形成されている。各横枠２３は前記各摺動基体５に夫々対応する高さに位置しており、図３に鎖線で示すように、後壁部２３ａが前壁部２３ｂに対して後方に離隔した型材によって構成されている。そして、図５に示すように、各横枠２３の後壁部２３ａの中央部に形成された挿通孔２５に前記各支持軸１８が前方から夫々挿通され、該支持軸１８の半球状頭部１８ａを後壁部２３ａの前面に当接させた状態で、背面側から支持軸１８に螺合されたナット２４の緊締作用を介して各支持軸１８の前端に各横枠２３が夫々固定されている。
【００１８】
前記補強フレーム２１の前面側には中央カバー板２０が宛われ、該中央カバー板２０がネジ止め等の固定手段を介して補強フレーム２１に接合されている。これにより、中央カバー板２０は、補強フレーム２１を介して各支持軸１８の前端に支持されており、図５に示すように、各支持軸１８の後部に配設された圧縮ばね１９の弾発力によって後方向に付勢されている。また、中央カバー板２０の左右両側縁には、中央寄り斜め後方に向けて傾斜する傾斜受面２６，２６が上下方向に沿って形成されている。さらに、中央カバー板２０の背面には、図６に示すように、補強を兼ねた左右方向の位置決め杆２７ａ，２７ｂが上下一対で固着されている。ここで、上部の位置決め杆２７ａは、補強フレーム２１の最上部の横枠２３の下部位置に対応させて配設されており、下部の位置決め杆２７ｂは、補強フレーム２１の最下部の横枠２３の上部位置に対応させて配設されている。これにより、補強フレーム２１に対する中央カバー板２０の取り付け時に、該中央カバー板２０の上下方向の位置決めが容易となるようにしている。
【００１９】
また、各摺動基体５に取り付けられたバネ受け部材１５の係合片部１５ｂ，１５ｂ（図５参照）には、左右一対をなす複数対の引張バネ２８，２８の一端が各摺動基体５に対応する高さ位置に夫々係合されており、各引張バネ２８，２８の他端は建造物Ａ，Ｂの両側壁面ｘ，ｘに配設された固定枠２，２の係合片部２ｂ，２ｂ（図４参照）に係合されている。そして、この複数対の引張バネ２８，２８の左右方向からの引張力によって中央カバー板２０が目地ｓの略中央位置に保持されている。
【００２０】
目地ｓの左右の側部には、上下方向に延在する端部カバー板２９，２９が左右一対で配設されている（図１参照）。該端部カバー板２９，２９は、図７に示すように、夫々目地幅の略５分の１の横幅寸法で縦長矩形状に形成されており、その各外側縁が前記左右の固定枠２，２にヒンジ１１，１１（図４参照）を介して夫々前後方向に回動可能に枢結されている。また、該端部カバー板２９，２９は、地震のない常態において、その前面が前記中央カバー板２０の前面と略面一となる状態で配設されており、その各内側縁には前記中央カバー板２０の傾斜受面２６，２６と同方向に傾斜する押圧傾斜面３０，３０（図４，図５参照）が形成されている。該押圧傾斜面３０，３０は傾斜受面２６，２６の背面側に位置しており、地震時に目地ｓの幅が狭くなると、押圧傾斜面３０，３０が傾斜受面２６，２６を外側方から押圧することによって中央カバー板２０が前方に押し出されるようになっている。
【００２１】
端部カバー板２９，２９の背面側には、上下方向に延在する中間カバー板３１，３１が左右一対で配設されている（図１参照）。各中間カバー板３１，３１は、図７に示すように、夫々目地幅の略５分の１の横幅寸法で縦長矩形状に形成されており、その各外側縁が夫々端部カバー板２９，２９の背面にスライド機構３２，３２を介して左右方向に摺動可能に連結されている。各スライド機構３２は、各端部カバー板２９の背面に上下方向に所定間隔を置いて固着された左右方向の複数の案内レール３３と、中間カバー板３１の外側縁の前面に固着されて、前記各案内レール３３に夫々摺動可能に嵌合される複数の摺動部材３４とによって構成されている（図８参照）。また、各中間カバー板３１，３１の内側縁は、図５に示すように、中央カバー板２０の背面側に位置しており、その端部に前方突成された抜け止め縁３５，３５を中央カバー板２０に内側方から当接させることによって抜け出し不能に保持されるようにしている。
【００２２】
かかる構成にあって、地震時に、建造物Ａ，Ｂが近接する方向に相対変位すると、端部カバー板２９，２９の各内側縁の押圧傾斜面３０，３０によって中央カバー板２０の両外側縁の傾斜受面２６，２６が外側方から押圧されて、中央カバー板２０が圧縮ばね１９の弾発力に抗して前方に押し出されるとともに、端部カバー板２９，２９の内端側が中央カバー板２０の背面側に進入することにより、図９（Ａ）に示すように、その近接方向の相対変位に追従する。また、この状態から建造物Ａ，Ｂが離隔する方向に相対変位すると、端部カバー板２９，２９の内端側が中央カバー板２０の背面側から抜け出すとともに、中央カバー板２０が圧縮ばね１９の弾発力によって後方に引き戻されて、図１に示す常態に戻る。
【００２３】
一方、図１に示す常態から建造物Ａ，Ｂが離隔する方向に相対変位すると、図９（Ｂ）に示すように、該建造物Ａ，Ｂとともに端部カバー板２９，２９が夫々外側方に移動して、その離隔方向の相対変位に追従する。この時、中間カバー板３１，３１は、その各内側縁が中央カバー板２０の背面側に位置して抜け出し不能に保持されていることにより、中間カバー板３１，３１の各外側縁が、端部カバー板２９，２９の外側方への移動に伴い、スライド機構３２，３２を介して相対的に内側方に摺動する。これにより、中央カバー板２０と端部カバー板２９，２９との間に生じる隙間を中間カバー板３１，３１によって遮蔽することができる。
【００２４】
また、上記のような建造物Ａ，Ｂの近接または離隔方向の相対変位に加えて、建造物Ａ，Ｂが前後方向に相対変位すると、端部カバー板２９，２９の両外側縁及び各支持杆１０の外端部が固定枠２，２に対してヒンジ１１，１１を介して前後方向に回動可能に枢結されていることにより、壁用目地カバー装置１全体が前後方向に傾斜して、建造物Ａ，Ｂの前後方向の相対変位に追従する。
【００２５】
そして、本発明によれば、目地ｓの略中央で上下方向に延在する中央カバー板２０と、該中央カバー板２０の左右両側で上下方向に延在する端部カバー板２９，２９とを、その前面が略面一となる状態で配設することができるので、優れた美観を得ることができる。
【００２６】
また、中央カバー板２０を前端で支持する支持軸１８を備えた各摺動基体５を、各摺動基体５に設けられた左右方向の両摺動路６，６に一端が夫々摺動可能に嵌挿されて、他端が夫々左右の固定枠２，２に枢結された複数対の支持杆１０，１０によって支持させるようにしたことにより、中央カバー板２０の前後方向の支持強度が従来構成の伸縮リンクに比して格段に向上し、該中央カバー板２０の前後方向の揺動を確実に抑制することができる。
【符号の説明】
【００２７】
Ａ  建造物
Ｂ  建造物
ｓ  目地
ｘ  側壁面
１  壁用目地カバー装置
２  固定枠
４  摺動基体
５  摺動路
１０  支持杆
１８  支持軸
１９  圧縮ばね
２０  中央カバー板
２５  傾斜受面
２７  引張バネ
２８  端部カバー板
２９  押圧傾斜面
３０  中間カバー板
３１  スライド機構
【図１】
0005476219.tif 000002
【図２】
0005476219.tif 000003
【図３】
0005476219.tif 000004
【図４】
0005476219.tif 000005
【図５】
0005476219.tif 000006
【図６】
0005476219.tif 000007
【図７】
0005476219.tif 000008
【図８】
0005476219.tif 000009
【図９】
0005476219.tif 000010